(57)【要約】【課題】難聴者並びに健聴者に対しても、不足の無い性能を有するより高性能、且つ、高品質な湾曲振動板スピーカと、スピーカシステムを提供する。【解決手段】対向する一対の辺部が劣弧状をした弓形に湾曲した枠体１５の凸面側に圧電フィルムからなる湾曲振動板１１を配すると共に、この湾曲振動板の間に音響的空間となる所望寸法間隔を設けて枠体の凹面側に湾曲した板状部材１２を配することにより、湾曲振動板を駆動して放音するようにした湾曲振動板スピーカ１とする。また、この湾曲振動板スピーカを第一のスピーカとし、連設した筐体８の内部にダイナミック型スピーカユニット２１を装着して第二のスピーカ２とし、組み合わせた第一のスピーカと第二のスピーカの両方を単一の音声信号に基づいて駆動してそれぞれ放音するようにしたハイブリッド型スピーカシステム１０とする。【選択図】図１
2018046421.tif 000002
【特許請求の範囲】
【請求項１】
対向する一対の辺部が劣弧状をした弓形に湾曲した枠体と、
前記枠体の凸面側に配された圧電フィルムからなる湾曲振動板と、
前記枠体の凹面側において前記湾曲振動板との間に音響的空間となる所望寸法間隔を設けて配された湾曲したもしくは湾曲可能な板状部材と、
を少なくとも備え、
前記湾曲振動板を駆動して放音するようにしたことを特徴とする湾曲振動板スピーカ。
【請求項２】
前記湾曲振動板は透明であることを特徴とする請求項１に記載の湾曲振動板スピーカ。
【請求項３】
前記湾曲振動板と前記板状部材は、共に透明であることを特徴とする請求項１又は２に記載の湾曲振動板スピーカ。
【請求項４】
前記板状部材と前記枠体は、一体成形されていることを特徴とする請求項１乃至３の何れか１項に記載の湾曲振動板スピーカ。
【請求項５】
前記請求項１乃至４の何れか１項に記載の湾曲振動板スピーカを第一のスピーカとし、
前記第一のスピーカに連設した筐体の内部にダイナミック型スピーカユニットを装着して第二のスピーカとしてさらに組み合わせ、
前記第一のスピーカと前記第二のスピーカの両方を駆動してそれぞれ放音するようにしたことを特徴とするハイブリッド型スピーカシステム。
【請求項６】
前記第一のスピーカが複数設けられていることを特徴とする請求項５に記載のハイブリッド型ピーカシステム。
【請求項７】
前記第二のスピーカは、前記ダイナミック型スピーカユニットを装着する筐体のバッフル面が前記第一のスピーカを構成する枠体の凹面側を向くように配されていることを特徴とする請求項５又は６に記載のハイブリッド型スピーカシステム。
【請求項８】
前記第二のスピーカは、前記ダイナミック型スピーカユニットを装着する筐体のバッフル面が前記第一のスピーカを構成する枠体の湾曲した辺部側を向くように配されていることを特徴とする請求項５又は６に記載のハイブリッド型スピーカシステム。
【請求項９】
前記第二のスピーカは、前記ダイナミック型スピーカユニットを装着する筐体のバッフル面が設置面側を向くように配され、
前記筐体と設置面との間に前記第二のスピーカが発した音が通過する音道となる空間が設けられてなることを特徴とする請求項５又は６に記載のハイブリッド型スピーカシステム。
【請求項１０】
前記筐体は、位相反転用ダクトが一体成形されてなるバスレフ型構造であることを特徴とする請求項５乃至９の何れか１項に記載のハイブリッド型スピーカシステム。
【発明の詳細な説明】
【技術分野】
【０００１】
本発明は、湾曲振動板を用いたスピーカと、この曲振動板スピーカを用いたハイブリッド型スピーカシステムに係り、詳しくは、再生周波数帯域が拡大したより高性能な湾曲振動板スピーカシステムに関する。
【背景技術】
【０００２】
湾曲振動板を用いたスピーカシステムとしては、ＦＲＰシート、金属シート等を短冊状に切断した後、湾曲させて振動板（以下、「湾曲振動板」という。）とし、この湾曲振動板を湾曲状態で振動せしめるように駆動し、音波を発生するスピーカシステム（以下、「湾曲振動板ＳＰシステム」という。）が種々提案されている（たとえば、特許文献１，２，３等を参照）。
【０００３】
この湾曲振動板ＳＰシステムでは、基本的性能が実用に耐えうるレベルであること、システムが製造可能なレベルであることが確認されているが、更なる高性能化が求められている。つまり、機能向上を果たし、信頼性を増し、製作工数が低減する構造と方法が求められている。特に、再生周波数帯域の拡大、とりわけ５〜６ＫＨｚ以上の高音帯域（以下、「高域」という。）再生性能の向上、並びに４００〜５００Ｈｚ以下の低音帯域（以下、「低域」という。）再生性能の向上が求められている。
【０００４】
湾曲振動板ＳＰシステムは、湾曲振動板をムービングコイル、いわゆるボイスコイル（ＶＣ）にて駆動し、発音せしめる手法である。この手法に於いて高域側の再生能力を増すには、振動系の重量軽減、並びに駆動系の能力向上が必要である。つまり、世間一般に言われているパワーアップが必要である。一方、低域側の再生能力を増すには、能力に見合ったＶＣ振幅（移動）量を増し、それに見合った振動板構造、及びＶＣ構造、並びにパワーアップが必要であることは、衆目の一致するところである。
【０００５】
しかしながら、高域側の再生能力を増すには、振動系の中心部品であるところの湾曲振動板の軽量化を果たさねばならないが、現状でも湾曲振動板の軽量化は、限界に近く、更なる軽量化は、湾曲振動板自体の形態保持が困難となり、振動板としての体を成さなくなるおそれがある。
【０００６】
一方、低域側の再生能力を増すために、能力に見合ったＶＣ振幅（移動）量を増しても、湾曲振動板自体が平面湾曲状であるため、強引に振幅を増すと、湾曲振動板自体が異常音を発する。そのため、従来型スピーカと同等の低域再生を行うには、湾曲振動板の長さをより長くする等、面積を拡大しなければならず、その寸法は実用的な寸法とは言えないものとなる。
【０００７】
また、駆動系のパワーアップは、アンプの出力能力に見合ったＶＣの耐入力性、及びＶＣ駆動用の磁気回路の大型化等の対応が必要となるが、これらの対応は安易に行えない欠点を有していることが知られている。特に、磁気回路の大型化は、コストアップ要因が大きく、更に筐体構造にも影響を及ぼし、設計の大幅見直し、或いは再設計をしなければならない。
【０００８】
そこで、我々は、たとえば、ポリフッ化ビニリデン（Polyvinylidene fluoride）フィルム（以下、「ＰＶＤＦフィルム」という。）に代表される圧電フィルムを湾曲振動板として用いることを検討した。
【０００９】
この圧電フィルムは、電圧を加えると一方向に伸縮（振動）する圧電効果を有し、その優秀な圧電効果をスピーカに用いることが既に世間一般に認められている。すなわち、圧電フィルムをスピーカとして用いる場合、この圧電フィルムの表裏面に導電材をコートした後、その外周部の表裏面に銅ペースト等を塗布して硬化させてなる電極を設け、この電極にオーディオ信号（音声信号）を引加して圧電フィルムを発音せしめる。
【００１０】
しかしながら、圧電フィルムを用いた従来型のスピーカは、圧電フィルムの背面側が開放され、音響的バックキャビティを有していない構造となっている（たとえば、特許文献４等を参照）。つまり、圧電フィルムを装着する筐体構造が、単なるフィルムの枠的構造となっている。そのため、圧電フィルム面から発する音波が夫々の面（表裏面）側に回り込み、打ち消し合うため、圧電フィルム本来の性能を生かしておらず、圧電フィルムの弱点とする低音帯域の再生不足を更に悪化させている。
【００１１】
また、圧電フィルムのみで必要な低域を再生する場合、圧電フィルムの面積を低域再生に見合った面積に増やさねばならないが、面積を増やすと当然のことがら、筐体の外径寸法も大きくならざるを得ない。更に、駆動用の昇圧トランス等も大型化が必要で、スピーカシステムとしての大型化は避けられず、コストアップを招き易い欠点を有している。
【００１２】
尚、我々の行った実験によると、所望サイズ（たとえば、Ａ４判）のＰＶＤＦ製湾曲振動板が発する音は、難聴者に対しては極めて有効であることを確認した。しかしながら、健聴者に対しては、低帯域の音が明らかに不足であることが判明し、これらの欠点に対応する必要性が生じた。
【先行技術文献】
【特許文献】
【００１３】
【特許文献１】特開昭６２−２７８９００号公報
【特許文献２】特開２００４−３５６８６８号公報
【特許文献３】特許第５６６８２３３号公報
【特許文献４】特２００３−２５９４８９号公報
【発明の概要】
【発明が解決しようとする課題】
【００１４】
本発明は、かかる従来の要求の解決に応じてなされたものであり、圧電フィルムを用いるスピーカにおいて、更なる機能向上を果たし、難聴者並びに健聴者に対しても、不足の無い性能を有するより高性能、且つ、高品質な湾曲振動板ＳＰシステを提供するものである。
【課題を解決するための手段】
【００１５】
本発明に係る湾曲振動板スピーカは、対向する一対の辺部が劣弧状をした弓形に湾曲した枠体と、前記枠体の凸面側に配された圧電フィルムからなる湾曲振動板と、前記枠体の凹面側において前記湾曲振動板との間に音響的空間となる所望寸法間隔を設けて配された湾曲したもしくは湾曲可能な板状部材と、を少なくとも備え、前記湾曲振動板を駆動して放音するようにしたことを特徴とする。
【００１６】
本発明に係る湾曲振動板スピーカにおいて、前記湾曲振動板を透明なものとすると好ましく、さらに前記湾曲振動板と前記板状部材とを共に透明なものとすると望ましい。
【００１７】
また、本発明に係る湾曲振動板スピーカは、前記板状部材と前記枠体が、一体成形されているものとすることもできる。
【００１８】
本発明に係るハイブリッド型スピーカシステムは、前記本発明に係る湾曲振動板スピーカの何れか１を第一のスピーカとし、前記第一のスピーカに連設した筐体の内部にダイナミック型スピーカユニットを装着して第二のスピーカとしてさらに組み合わせ、前記第一のスピーカと前記第二のスピーカの両方を駆動してそれぞれ放音するようにしたことを特徴とする。
【００１９】
本発明に係るハイブリッド型スピーカシステムにおいて、前記第一のスピーカは複数設けられているものとすることもできる。
【００２０】
また、本発明に係るハイブリッド型スピーカシステムにおいて、前記第二のスピーカは、前記ダイナミック型スピーカユニットを装着する筐体のバッフル面が前記第一のスピーカを構成する枠体の凹面側を向くように配されているものとすると良い。
【００２１】
また、本発明に係るハイブリッド型スピーカシステムにおいて、前記第二のスピーカは、前記ダイナミック型スピーカユニットを装着する筐体のバッフル面が前記第一のスピーカを構成する枠体の湾曲した辺部側を向くように配されているものとしても良い。
【００２２】
また、本発明に係るハイブリッド型スピーカシステムにおいて、前記第二のスピーカは、前記ダイナミック型スピーカユニットを装着する筐体のバッフル面が設置面側を向くように配され、前記筐体と設置面との間に前記第二のスピーカが発した音が通過する音道となる空間が設けられてなるものとすることもできる。
【００２３】
さらに、本発明に係るハイブリッド型スピーカシステムにおいて、前記筐体は、位相反転用ダクトが一体成形されてなるバスレフ型構造であるものとすることもできる。
【発明の効果】
【００２４】
本発明の湾曲振動板スピーカは、対向する一対の辺部が劣弧状をした弓形に湾曲した枠体の凸面側に圧電フィルムからなる湾曲振動板が配されたものとなっている。ゆえに、湾曲振動板が軽量となり、高域側の再生能力が増すものとすることができる。
また、枠体の凹面側において湾曲振動板との間に音響的空間となる所望寸法間隔を設けて配された湾曲したもしくは湾曲可能な板状部材とを少なくとも備える。ゆえに、湾曲振動板の裏面に形成した音響的空間（バックキャビティ）が、湾曲振動板から発する音波が夫々反対側の面（表裏面）側に回り込んでしまうことを抑制し、圧電フィルム本来の性能を生かして難聴者に極めて有効なスピーカとすることができる。
【００２５】
しかも、本発明の湾曲振動板スピーカは、圧電フィルムが枠体に沿って劣弧状をした弓形に湾曲したものであるので、優弧状をした弓形や円筒形に湾曲した圧電フィルムに比して、音声信号の電気エネルギーを効率良く湾曲振動板に伝え、より音量が高く、鮮明に、かつ、指向性を高めて放音することができる。
また、圧電フィルムからなる湾曲振動板は、同じサイズの場合に劣弧状の湾曲状態とすることで、優弧状の湾曲状態に比して振動板自体の曲げ反発力を弱めることができ、再生周波数帯域の低域側をより容易に再生し易いものとすることができる利点を有する。（後半部分は、段落００３４と００３８に記載する。）
【００２６】
一方、本発明のハイブリッド型スピーカシステムは、対向する一対の辺部が劣弧状をした弓形に湾曲した枠体と、枠体の凸面側に配される圧電フィルムからなる湾曲振動板と、枠体の凹面側において湾曲振動板との間に音響的空間となる所望寸法間隔を設けて配される湾曲したもしくは湾曲可能な板状部材と、を少なくとも備える湾曲振動板スピーカを第一のスピーカとし、この第一のスピーカに連設した筐体の内部にダイナミック型スピーカユニットを装着して第二のスピーカとして、第一のスピーカと第二のスピーカとを組み合わせるようにした。ゆえに、第一のスピーカ（圧電フィルム）の及ばない低域側の再生帯域を第二のスピーカ（ダイナミック型スピーカユニット）が補って、より広帯域の音の再生が可能となり、難聴者に極めて有効なスピーカ（第一のスピーカ）と、健聴者向けのスピーカ（第二のスピーカ）とを備えたスピーカシステムとすることができる。
【００２７】
しかも、第一のスピーカと第二のスピーカとを一体的に連設することで、設置面積が少なく、また、第一のスピーカからの音と第二のスピーカからの音とが混在し、難聴者並びに健聴者に対しても不足の無い性能を有するより高性能、且つ、高品質なハイブリッド型スピーカシステムとすることができる。
【図面の簡単な説明】
【００２８】
【図１】本発明に係る湾曲振動板スピーカを示す正面斜視図である。
【図２】本発明に係る湾曲振動板スピーカを示す背面斜視図である。
【図３】本発明に係る湾曲振動板スピーカの構造を説明する平面部分拡大断面図
【図４】本発明に係る湾曲振動板スピーカの構造を説明する分解斜視図である。
【図５】本発明に係る湾曲振動板スピーカを用いたハイブリッド型スピーカシステムを示す正面図である。
【図６】本発明に係る湾曲振動板スピーカを用いたハイブリッド型スピーカシステムを示す平面図である。
【図７】本発明に係るハイブリッド型スピーカシステムにおいて、筐体に付属部品を装着する前の状態を示す底面斜視図である。
【図８】本発明に係るハイブリッド型スピーカシステムにおいて、筐体に付属部品を装着した後の状態を示す底面斜視図である。
【図９】本発明に係る湾曲振動板スピーカを複数用いたハイブリッド型スピーカシステムを示す斜視図である。
【発明を実施するための形態】
【００２９】
以下、本発明に係る湾曲振動板スピーカと、この湾曲振動板スピーカを用いたハイブリッド型スピーカシステムの実施の形態の一例について、図面を参照しながら説明する。
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００３０】
図１乃至４に示すように、本発明の湾曲振動板スピーカ１は、一方向に湾曲した枠体１５と、この枠体１５の凸面側に配された湾曲振動板１１と、この湾曲振動板１１の凹面側に所望寸法間隔を設けて配された板状部材１２とを少なくとも備える。
【００３１】
枠体１５は、湾曲振動板１１を支持する主たる機能を発揮する筐体であって、対向する一対の辺部が劣弧状の弓形に湾曲して形成されている。すなわち、枠体１５において対向する一対の辺部は、半円弧よりも小さい弧長の弓形もしくは扇形に形成されている。
図において枠体１５は、上辺部と下辺部が何れも前後方向に湾曲して形成されると共に、右辺部と左辺部が直線状に形成された横長湾曲矩形体として示されている。
【００３２】
この枠体１５は、たとえば、内側領域が周辺部を残して開口した窓枠型構造とすることができる。
また、枠体１５は、湾曲振動板１１の凹面側に位置する本枠（後枠）１５Ｂと、湾曲振動板１１の凸面側に位置して湾曲振動板１１を本枠１５Ｂ側に押しつけながら支持する押え枠（前枠）１５Ｆとから構成される。
【００３３】
図において、本枠１５Ｂは背面側に位置し、内側領域が周辺部を残して開口すると共に、周辺部の外縁部が凸曲側（すなわち、正面方向）に延出して形成されたリブ部を一体成形した断面Ｌ字形状の辺部を有する円弧状枠として示されている。一方、押え枠１５Ｆは正面側に位置し、内側領域が周辺部を残して開口する板状の円弧状枠として示されている。
【００３４】
湾曲振動板１１を支持する筐体（すなわち、枠体１５）は、上述のように劣弧状をした湾曲状態の湾曲振動板１１を支持するものであるので、筐体を作成する場合、優弧状をした湾曲状態の湾曲振動板を支持する筐体に比して、遥かにシンプルな構造とすることができる。これにより、たとえば、筐体の量産における金型作成等を考慮した場合に、より安価な生産手段を提供することが可能であり、極めて有利な形態であるといえる。
【００３５】
このような本枠１５Ｂは、たとえば、外形寸法として、高さ（縦）方向の長さが約２１３．２ｍｍ、最内円弧長（凹曲側の横方向の長さ）が約２８７．５ｍｍ、最内円弧半径が約１４５．５ｍｍ、枠巾（外縁部から内縁部までの長さ）が約１３．０ｍｍをし、円弧枠最外側部（外縁部）より凸曲側に延出するリブ部の長さが約９．４ｍｍ、肉厚が約１．５ｍｍをしたＬ字形円弧状枠とすることができる。
一方、押え枠１５Ｆは、たとえば、外形寸法として、高さ（縦）方向の長さが約２１３．２ｍｍ、円弧長（横方向の長さ）が約３０７．６ｍｍ、円弧半径が約１５５．９ｍｍ、枠巾（外縁部から内縁部までの長さ）が約１３．０ｍｍをし、肉厚が約１．５ｍｍをした平板円弧状枠とすることができる。
【００３６】
また、枠体１５の材質は、本枠１５Ｂ及び押え枠１５Ｆ共に、たとえば、アクリル系（光硬化タイプ）樹脂とすることができる。また、目的に応じて樹脂材質を変えても良く、当然のことながら、金属等他の材質のものを用いても一向に構わない。
【００３７】
湾曲振動板１１は、枠体１５の凸面側において板状部材１２との間に音響的空間１４となる所望寸法間隔を設けて配された、断面弓形に湾曲する柔軟な圧電フィルムからなる。湾曲振動板１１は、圧電フィルムを所望の寸法に短冊状に切断し、この短冊状の圧電フィルムを湾曲させて振動板として用いる。湾曲振動板１１としては、たとえば、圧電機能を有すＰＶＤＦ（ポリフッ化ビニリデン）フィルムを挙げることができる。
【００３８】
また、湾曲振動板１１は、枠体１５に沿って劣弧状をした弓形に湾曲したものとなっている。すなわち、ＰＶＤＦフィルムは、広域再生能力に有意であるものの、従来技術で述べたように低域再生能力が不足気味となることから大型化しなければならない（圧電フィルムの面積を低域再生に見合った面積に増やさねばならない）。しかしながら、本発明では、湾曲振動板１１を劣弧状の湾曲状態とすることで、大型化せずに再生周波数帯域の低域側をより容易に再生し易い構造となっている。
【００３９】
この湾曲振動板１１は、たとえば、外形寸法として、長さ２９７ｍｍ×巾２１０ｍｍ（Ａ４判サイズと称される寸法）で、厚さは４０μのものとすることができる。また、ＰＶＤＦフィルムに通電機能を付加せんがため、ＰＶＤＦフィルムの表裏面に有機導電ポリマー（以下、「ＰＥＤＯＴ」という。）をコートし、ＰＶＤＦフィルムの表裏面上各々に極めて薄い導電層を得る。
【００４０】
導電層においては、アルミニウムや銅等を蒸着してなる、金属製導電層を有したＰＶＤＦ等もある。しかしながら、これらのＰＶＤＦを発音せしめ、難聴者、健聴者を対象に試聴を行ったが、ピーキーな（キンキンとした）音色となり、しかも共振音がかなり高いため、スピーカとしては不向きであることが判明した。
ところが、ＰＥＤＯＴ製導電層を有するＰＶＤＦ製振動板の場合、ピーキー音が発生せず、好ましい音質であることが判明した。
【００４１】
また、湾曲振動板１１には、ＰＥＤＯＴ導電層に電気信号を引加するための入力端子が必要となるため、ＰＶＤＦフィルム表裏面の外縁部全周に、所望巾寸法（たとえば、巾約６ｍｍ）にて入力端子装着用の電極を設ける。電極は、たとえば、銀ペーストと称されている導電性接着剤（導電ペースト）を用いて、スクリーン印刷法にて設けることができる。ＰＶＤＦフィルムの表面の電極が＋側とすると、裏面の電極は−側となる。湾曲振動板１１は、ＰＥＤＯＴ導電層が若干暗黒色を帯びた透明層を有するものとなる。
【００４２】
この湾曲振動板１１は、ＰＶＤＦフィルム及びその表裏面の電極層が透明であるものとすると、従来のスピーカシステムに比して大いに異なる（好）印象を与える構造となり、向こう側（背後面側）が透けて見ることが出来るインテリア的要素を兼ね備える効果を有するものなるので望ましい。
【００４３】
湾曲振動板１１は、電極が導通性能を発揮する硬化状態にせしめた後、表裏面全面を覆うように所望厚さ（たとえば、１０数μ）の保護フィルムをラミネートする。保護フィルムのラミネート後、フィルム端部所定位置に２個（＋側と−側）の入力端子をカシメにて装着固定する。この際、各々のカシメ部（足）が保護フィルムを貫通して反対側の電極に触れるとショート状態となるので、導電ペーストの印刷パターンを工夫し、夫々の入力端子のカシメ部を所定の位置に装着することにより、＋端子は＋側、−端子は−側と、片方の電極にのみ接続する配線パターン構造となるようにする。
【００４４】
なお、難聴者が聞き取ることができるとされている剪断波は、湾曲振動板１１の曲げ角度により発生音圧が変化するものされており、９０°乃至１３０°の曲げ角度を有するものとすると、音量が高く鮮明な放音をすることができるものと思われる。
【００４５】
また、板状部材１２は、本枠１５Ｂの凹面側に配され、凸面側に配された湾曲振動板１１のバックキャビティを構成するための裏板（以下、板状部材を「裏板」という。）である。この裏板１２の周縁部は枠体１５を構成する本枠１５Ｂに支持される。
【００４６】
裏板１２としては、透明樹脂の代表格であるアクリル樹脂板を用いることができる。裏板１２は、たとえば、厚さ約３．０ｍｍのアクリル樹脂板を用い、外形寸法は、高さ方向が２１０．１ｍｍ、最内半径が約１４７．０ｍｍ、最内円弧長が約２８７．２ｍｍの円弧状板とすることができる。
【００４７】
この裏板１２は、たとえば、本枠１５Ｂの周縁部の内側部分に粘着シートを貼り、挿入して本枠１５Ｂに装着することとで、湾曲振動板装着用の筐体を形成することができる。なお、裏板１２の本枠１５Ｂに対する装着は、粘着に限らず、接着、融着、ネジ止め等、目的により自由な装着方法を選ぶことができる。
【００４８】
また、本実施の形態において、裏板１２として透明樹脂板たる別部品を用いることができるし、非透明部品を用いることもできる。また、裏板１２は別部品ではなく、本枠１５Ｂと裏板１２とを一体成形したものとしても一向に差し支えない。
【００４９】
このようにバックキャビティを構成する裏板１２を、湾曲振動板１１と同様に透明なものとすると、湾曲振動板１１側から裏板１２の向こう側（背後面側）が透けて見ることが出来る。したがって、その外観は一層インテリア的要素を兼ね備える効果を有するスピーカシステムとすることができる。
【００５０】
なお、図示していないが、湾曲振動板１１の端部には、音声信号入力用のリード線が接続配線されており、このリード線の端部は、枠体１５の内部に収容されたものとなっている。また、枠体１５の一端側には筐体（以下、「湾曲振動板ＳＰ筐体」という。）８が連設（結合）され、内部にはアンプ基盤等が装着されている。ゆえに、枠体１５の内部に収容された音声信号入力用のリード線は、湾曲振動板ＳＰ筐体８に設けた穴を通して内部へ導入可能な構造としてなる。
【００５１】
また、湾曲振動板１１たるＰＶＤＦフィルムを枠体１５に装着するにおいて、スペーサ１３を用いると良い。このスペーサ１３は、湾曲振動板１１と裏板１２との間に音響的空間１４となるバックキャビティを形成する段差機能、並びに湾曲振動板を支持するサスペンション機能を兼用するものである。なお、スペーサ１３は、段差機能に限るものであれば、本枠１５Ｂ或いは裏板１２と一体成型したものでも一向に構わない。
【００５２】
このスペーサ１３は、たとえば、長さが約２９３ｍｍ×幅が約６ｍｍ×厚さが約２．５ｍｍの独立発泡ウレタン、或いは連続発泡ウレタンからなる第一のスペーサ（以下、「横長スペーサ」という。）１３ａが２本、及び長さが約１９８ｍｍ×幅が約６ｍｍ×厚さが約２．５ｍｍの独立発泡ウレタンからなる第二のスペーサ（以下、「縦長スペーサ」という。）１３ｂが２本から構成されたものとすることができる。
【００５３】
横長スペーサ１３ａは、裏板１２の長辺側に装着する。つまり、本枠１５Ｂの円弧部を構成する、図において水平向きの示された上辺及び下辺の円弧辺の内側に沿って、通常はフラット状の横長スペーサ１３ａを夫々粘着シートを用いて貼り付け装着する。一方、縦長スペーサ１３ｂは、裏板１２の短辺側に装着する。つまり、本枠１５Ｂの直線部を構成する、図において垂直向きの示された左辺及び右辺の内側に沿って、縦長スペーサ１３ｂを夫々粘着シートを用いて貼り付け装着する。
【００５４】
そうすると、スペーサ１３の厚さ寸法分、実質的には湾曲振動板１１によって若干押しつぶされた分を除く寸法分（たとえば、約２．２ｍｍ〜２．４ｍｍ）だけ、湾曲振動板１１の凹（裏）面側と裏板１２の凸（表）面側との間に所定寸法の音響的空間１４が発生する。この空間が、湾曲振動板スピーカ１において湾曲振動板１１の音響的バックキャビティとなる。
【００５５】
したがって、湾曲振動板１１は、スペーサ１３を本枠１５Ｂに装着した後に装着される。湾曲振動板１１たるＰＶＤＦフィルムは柔軟性があるため、裏板１２の凸（表）面側に装着した上辺及び下辺の横長スペーサ１３ａに沿った円弧状になり、湾曲振動板１１の凹面側がスペーサ１３に密着しつつ装着される。そして、本枠１５Ｂに押え枠１５Ｆを挿入装着すると、湾曲振動板１１の枠体１５への装着は完了する。
【００５６】
以上のように構成した湾曲振動板スピーカ１に対して、テレビやラジオ、オーディオプレイヤー、パーソナルコンピュータ、スマートフォンやタブレットなどのスマートデバイス、等より音声信号を入力すると、音声信号の電気エネルギーを効率良く湾曲振動板に伝えて駆動し、湾曲振動板の曲面部から発生する音圧を大きく、より音量が高く鮮明な放音をすることができる。
【００５７】
また、図５乃至８に示すように、本発明のハイブリッド型スピーカシステム１０は、基本的に、第一のスピーカ１と第二のスピーカ２とを備える。この第一のスピーカ１は、上述した湾曲振動板スピーカである。
なお、以下に述べる実施の形態では、上述した実施の形態と異なる部分を中心に説明する。したがって、上述した実施の形態と同様の構成部分は同じ符号を付してその説明は省略し、特に説明しない限り同じであるものとする。
【００５８】
第二のスピーカ２は、第一のスピーカ１における枠体１５の一端側に連設（結合）した筐体（以下、「ハイブリッドＳＰ筐体」という。）３と、このハイブリッドＳＰ筐体３の内部に装着されたダイナミック型スピーカユニット２１と、から構成されている。
ダイナミック型スピーカユニット２１としては、たとえば、ムービングコイル型スピーカ等のような健聴者向けのスピーカとすることができる。また、望ましいダイナミック型スピーカユニットとしては、たとえば、コーン型スピーカユニットを挙げることができる。
【００５９】
ＰＶＤＦフィルムのみで必要な低域を再生する場合、スピーカシステムとしての大型化は避けられず、更なるコストアップは避けられないことは既に述べた。そのため、ＰＶＤＦフィルムの有する能力をより効果的に発揮するにおいては、その能力に適したサイズを選ぶことが肝要である。
【００６０】
本発明では、ＰＶＤＦフィルムの有する能力が高域の再生に適していると判断し、可能な限りこの音域（高域）再生に適した所望サイズを選定した。特に、英語等において、舌先を上歯茎から離さずそのままの状態から発音する「ｔｏ」の「ｔｈ（破裂のあるｔ）」といった破裂音等の再生に適していると判断した。
【００６１】
当然のことながら、ＰＶＤＦフィルムの再生帯域以外の中域、低域の再生が必要であるが、この中域、低域に於ける目的とする音は、ＰＶＤＦ振動板の能力が及ばない。そこで、これらの再生帯域をカバーするため、ダイナミック型スピーカユニット２１を用いることとした。ハイブリッド型スピーカシステムは、圧電フィルムを用いない湾曲振動板ＳＰシステムにおいては、既に出願人が提案した実績のあるシステムである。
【００６２】
ハイブリッドＳＰ筐体３は、本実施の形態において、湾曲振動板装着用の筐体を兼ねている。このハイブリッドＳＰ筐体３は、前板部３１と、天板部３２と、裏板部３３、及び底板部３４とを少なくとも備え、形状的には、いわゆる平面視弓形状の筐体とすることができる。
図においてハイブリッドＳＰ筐体８は、前板部３１、天板部３２、及び裏板部３３が一体で作製されており、底板部３４が別部品となっている着脱可能な筐体構造として示されている。
【００６３】
このようなハイブリッドＳＰ筐体３は、たとえば、円弧半径が１５６．０ｍｍで、円弧長（横方向の長さ）が約３０７．６ｍｍをした、枠体１５の外形寸法と略同様の円弧状で、尚且つ、高さ（縦）方向の長さが５３．８ｍｍの前板部３１を備えるものとすることができる。ゆえに、この前板部３１は、枠体１５の円弧部と一致して接合せしめる形状をしている。
【００６４】
また、ハイブリッドＳＰ筐体３の肉厚寸法は、たとえば、約２．５ｍｍ〜約３ｍｍであり、材質は、枠体１５と同様に、アクリル系（光硬化タイプ）樹脂を用いることができる。なお、ハイブリッドＳＰ筐体３は、目的に応じて樹脂材質を変えても良く、当然のことながら金属等、他の材質のものを用いても一向に構わない。
【００６５】
また、本実施の形態におけるハイブリッドＳＰ筐体３は、天板部３２にダイナミック型スピーカユニット２１を装着してなる。このダイナミック型スピーカユニット２１は、ムービングコイル型スピーカ等、通常スピーカとすることができ、一般的に、口径４ｃｍサイズ、４Ω仕様と呼ばれているものである。
【００６６】
天板部３２には、ダイナミック型スピーカユニット２１が配置される箇所のみに、スピーカ音放出用の開口として、たとえば、直径２ｍｍの貫通穴を設けるものとすることができる。また、図示しないが、天板部３２の表面（上面）には、音質を考慮して、直径２ｍｍ×深さ１．８５ｍｍのザグリ加工を４ｍｍピッチの千鳥配置に施すものとする。
【００６７】
なお、図において、枠体１５の下側にダイナミック型スピーカユニット２１を装着したハイブリッドＳＰ筐体３が連設した状態で示されているが、枠体１５とハイブリッドＳＰ筐体３は、別部品として作製し接合するものとしても良く、図に示す如く、本枠部１５ＢとハイブリッドＳＰ筐体３とを一体で作製しても一向に構わない。
また、ハイブリッドＳＰ筐体３は、枠体１５の下辺部に限らず、枠体１５を構成する何れの辺部に連設するものとしても良い。
【００６８】
本実施の形態において、ダイナミック型スピーカユニット２１は、ハイブリッドＳＰ筐体３の底板部３４側から装着する構造であり、ハイブリッドＳＰ筐体３の天板部３２の内側にはダイナミック型スピーカユニット装着用のリブ３５が設けてある。また、ハイブリッドＳＰ筐体３の天板部３２の内側には、湾曲振動板（ＰＶＤＦ振動板）駆動用の昇圧トランス４を装着するための支柱３６が設けられている。一方、ハイブリッドＳＰ筐体３の裏板部３３には、オーディオジャック５、及びスイッチ６を装着するための穴が設けられている。
【００６９】
また、ハイブリッドＳＰ筐体３は、低音を増強する（音響効果を高める）ための位相反転（bass reflex）用ダクト７が設けてなるバスレフ型構造であるものとすると良い。
この際、ハイブリッドＳＰ筐体３と底板部３４が一体成形されてなる構造や、ハイブリッドＳＰ筐体３、底板部３４、及び位相反転（bass reflex）用ダクト７等が一体成形してなる構造の曲振動板スピーカシステムとしても良い。
【００７０】
ダイナミック型スピーカユニット２１は、たとえば、呼び径Ｍ３×６ｍｍのビス４本にて締結固定装着し、昇圧トランス４は、呼び径Ｍ４×１５ｍｍのビス２本にて締結固定装着する。そして、ハイブリッドＳＰ筐体３の裏板部３３に、オーディオジャック５、及びスイッチ６を装着し、所定の配線作業を行った後、呼び径Ｍ３×１０ｍｍの皿ビス（３ヶ所）にて底板部３４を締結固定装着することにより、本発明のハイブリッド型スピーカシステム１０として完成する。
【００７１】
本実施の形態の場合、外付けアンプにて湾曲振動板スピーカ（第一のスピーカ）１を駆動する構造としたが、駆動アンプのみならず、昇圧トランス等、その他の電子部品をＩＣ化すること等により、アンプ基盤を大幅に小型化することが可能である。ゆえに、ハイブリッド用ＳＰ筐体８内に、駆動アンプ等、電子部品を内蔵する、いわゆるパワードＳＰ化を容易に行うことが可能である。さらには、Ｂｌｕｅｔｏｏｔｈ機能等を有した電子回路をハイブリッド用ＳＰ筐体３内に付加し、無線化での音声信号を供給せしめることも可能である。
【００７２】
このように本発明によると、第一のスピーカ１の枠体１５の一端側に、ダイナミック型スピーカユニット２１を装着してなるハイブリッドＳＰ筐体３を結合し、第一のスピーカ１（圧電フィルム１１）と同時に第二のスピーカ２（ダイナミック型スピーカユニット２１）の両方を駆動してそれぞれ発音せしめることにより、従来の難聴者及び健聴者向けスピーカシステムに比して、高性能で、尚且つ、軽量で、設置面積が少なく、更にスピーカの万能性が向上し、難聴者と健聴者とが共に満足して聞くことのできるハイブリッド型スピーカシステム１０とすることができる。
【００７３】
すなわち本発明では、圧電フィルム（ＰＶＤＦフィルム）からなる湾曲振動板１１の裏面にバックキャビティ１４を構成する湾曲振動板スピーカ（第一のスピーカ）１と、圧電フィルムの及ばない再生帯域をカバーするためダイナミック型スピーカユニット２１（ムービングコイル型スピーカ等の従来型スピーカ）を装着してなる第二のスピーカ２とを組み合わせるハイブリッド型スピーカシステム１０とし、第一のスピーカ１の音と、第二のスピーカ２の音とを混在させることにより、より広帯域の目当ての音（難聴者及び健聴者向け音波）の再生が可能となった。
特に、英語等において、舌先を上歯茎から離さずそのままの状態から発音する「ｔｏ」の「ｔｈ（破裂のあるｔ）」といった破裂音等の再生に適しているものとすることができる。
【００７４】
また、枠体１５の一端側に結合装着してなるハイブリッドＳＰ筐体３は、たとえば、枠体１５の円弧を構成する枠辺側（以下、「円弧辺」という。）に固定装着され、尚且つダイナミック型スピーカユニット２１を装着するバッフル面としての天面部２３を枠体１５側に設け、この天面部（バッフル面）３２に装着したダイナミック型スピーカユニット２１を発音せしめる構造とすることができる。
【００７５】
すなわち、第二のスピーカ２は、ダイナミック型スピーカユニット２１を装着するハイブリッドＳＰ筐体３のバッフル面３２が、第一のスピーカ１を構成する枠体１５の凹面側を向くように配され、かつ、バッフル面３２が、枠体１５の湾曲した辺部側を向くように配されているものとすると望ましい。
【００７６】
これにより、第二のスピーカ２より放音せしめた音を、第一のスピーカ１におけるキャビティ構成用の裏板１２に反射せしめ、より広がり感のある音場を提供することが可能な効果を有する。
しかも、必然的に枠体１５、及びハイブリッドＳＰ筐体３の間に結合用桟、梁等の構造部材を配することが好ましい構造となるため、枠体支持強度が向上する利点を有する。
【００７７】
また、本発明のハイブリッド型スピーカシステムは、第一のスピーカ１を複数組み合わせるものとすることができる。すなわち、第一のスピーカ１を同じ向きに配して複数組み合わせるものとしても良いし、第一のスピーカ１をそれぞれ異なる向きに配して複数組み合わせるものとしても良い。
【００７８】
たとえば、図９に示すように、ハイブリッド型スピーカシステム２０は、たとえば、第一のスピーカ１における湾曲振動板装着用の筐体の凹面側どうしが互いに合わさるように、２つの湾曲振動板スピーカ１Ａ，１Ｂを複数組み合わせたものとすることができる。
【００７９】
このようなハイブリッド型スピーカシステム２０とすることにより、２つの湾曲振動板スピーカ１Ａ，１Ｂによって異なる方向に音量が高く鮮明な放音をすることが期待できるものとなる。また、第一のスピーカ１の向きを少しずつ変えて円筒状となるように複数組み合わせれば、あらゆる方向において音量が高く鮮明な放音をすることが期待できる全指向性のスピーカシステムとすることもできる。
【００８０】
また、図９に示すハイブリッド型スピーカシステム２０では、２つの湾曲振動板スピーカ１Ａ，１Ｂを組み合わせることにより凹面側に形成される空間をハイブリッドＳＰ筐体３として用いることができる。
【００８１】
図９において、第二のスピーカ２は、バッフル面３２に装着するダイナミック型スピーカユニット２１が設置面側を向くように配され、脚足８によって設置面との間に、第二のスピーカ２が発した音が通過する音道となる空間９が設けられているものとして示されている。すなわち、第二のスピーカ２は、ダイナミック型スピーカユニット２１の振動板（コーン）を床面方向けて装着した構造となっている。
【００８２】
これにより、音（特に、低域の音）の広がり方に対する違和感が減少し、より良い音、つまり、低域の再生帯域が広がり、尚且つ音が、健聴者も含む聴者に対しても従来のスピーカ並みの音質を保ち、より良く聞こえ易くなる利点を有する。
【符号の説明】
【００８３】
１  湾曲振動板スピーカ（第一のスピーカ）、２  第二のスピーカ、３  筐体、７  位相反転用ダクト、９  音道空間、１０，２０  ハイブリッド型スピーカシステム、１１  湾曲振動板（圧電フイルム）、１２  板状部材、１３  スペーサ、１４  音響的空間、１５  枠体、１５Ｂ  本枠（後枠）、１５Ｆ  押さえ枠（前枠）、２１  ダイナミック型スピーカユニット、３１  前板部、３２  天板部（バッフル面）、３３  裏板部、３４  底板部。
【図１】
2018046421.tif 000003
【図２】
2018046421.tif 000004
【図３】
2018046421.tif 000005
【図４】
2018046421.tif 000006
【図５】
2018046421.tif 000007
【図６】
2018046421.tif 000008
【図７】
2018046421.tif 000009
【図８】
2018046421.tif 000010
【図９】
2018046421.tif 000011